(57)【要約】  双方向光通信ネットワークにおける光通信のための方法が提案されている。このネットワークは、光分配ネットワークを介して複数の光ネットワークユニットと通信を行う、複数の光回線終端装置を備える。光分配ネットワークは、ネットワークコントローラによって制御される複数の光フィルタを備える。第１の光回線終端装置は、少なくとも１つの光ネットワークユニットとの光通信を求める要求をネットワークコントローラに送信する。この要求は、光分配ネットワークを介して送信され、第１の光回線終端装置および少なくとも１つの光ネットワークユニットの動作波長を示す。ネットワークコントローラは、前記光フィルタのうちの少なくとも２つを、前記動作波長またはさらなる動作波長を通過させるように構成する。最後に、前記動作波長または前記さらなる動作波長における、第１の光回線終端装置と少なくとも１つの光ネットワークユニット間の光通信が前記光フィルタを通して確立される。
2018519757.tif 000002
【特許請求の範囲】
【請求項１】
複数の光回線終端装置（３０４、３０８）と、複数の光ネットワークユニット（３１４、３１６）と、ネットワークコントローラ（３０２）によって制御される複数の光フィルタ（３００、３１０、３０６、３１２）を備える光分配ネットワーク（３１８）とを備える双方向光通信ネットワークにおける光通信のための方法であって、
第１の光回線終端装置（３０８）からネットワークコントローラ（３０２）へ、光分配ネットワーク（３１８）を介して少なくとも１つの光ネットワークユニット（３１４）との光通信を求める要求を送信するステップであって、前記第１の要求が、第１の光回線終端装置および少なくとも１つの光ネットワークユニットの動作波長を示す、送信するステップと、
前記動作波長またはさらなる動作波長の光信号を通過させるように、前記光フィルタ（３１０、３１２）のうちの少なくとも２つをネットワークコントローラによって構成するステップと、
前記光フィルタを通して、前記動作波長または前記さらなる動作波長における第１の光回線終端装置と少なくとも１つの光ネットワークユニットとの間の光通信を確立するステップと
を含む、方法。
【請求項２】
ネットワークコントローラが、前記動作波長の可用性をチェックするステップをさらに含む、請求項１に記載の方法。
【請求項３】
前記動作波長が使用可能な場合、ネットワークコントローラが、前記動作波長の光信号を通過させるように前記光フィルタのうちの少なくとも２つを構成する、請求項２に記載の方法。
【請求項４】
前記動作波長が使用不可能な場合、ネットワークコントローラが、さらなる動作波長の光信号を通過させるように前記光フィルタのうちの少なくとも２つを構成する、請求項２に記載の方法。
【請求項５】
光通信システムにおいて光通信を制御するためのネットワークコントローラ（５００）であって、光回線終端装置から光分配ネットワークを介して少なくとも１つの光ネットワークユニットとの光通信を求める要求を受信するように構成されたインタフェース（５０２）を備え、前記要求が、第１の光回線終端装置および少なくとも１つの光ネットワークユニットの動作波長を示し、ネットワークコントローラが、インタフェース（５００）によって受信された前記要求を処理し、複数の光フィルタを動作波長またはさらなる動作波長の光信号を通過させるように構成するように構成されているプロセッサ（５０４）をさらに備える、ネットワークコントローラ。
【請求項６】
前記プロセッサが、前記インタフェースを通して前記複数の光フィルタを構成するように構成されている、請求項５に記載のネットワークコントローラ。
【請求項７】
光信号を送受信するように構成された複数の光回線終端装置（３００）と、光信号を送受信するように構成された複数の光ネットワークユニット（３１４、３２４）とを備える光通信システムであって、前記光回線終端装置から光分配ネットワークを介して前記光ネットワークユニットとの通信を求める要求を受信するように構成されたネットワークコントローラ（３１２）をさらに備え、前記要求が、前記光回線終端装置および少なくとも１つの光ネットワークユニットの動作波長を示し、光通信システムが、動作波長またはさらなる動作波長の光信号を通過させるように前記ネットワークコントローラによって構成可能な複数の光フィルタをさらに備える、光通信システム。
【請求項８】
前記複数の光回線終端装置にサービスする少なくとも１つのオペレーションサポートシステムをさらに含む、請求項７に記載の光通信システム。
【請求項９】
光分配ネットワークを介する前記光ネットワークユニットとの通信を求める前記要求が、少なくとも１つのオペレーションサポートシステムから受信される、請求項８に記載の光通信システム。
【発明の詳細な説明】
【技術分野】
【０００１】
本出願は一般に、光伝送システムに関し、より詳細には光分配ネットワークを保護するためのシステム、装置、および方法を対象とする。
【背景技術】
【０００２】
受動光ネットワーク（ＰＯＮ）は、ファイバケーブルを使用して中央局をローカルな構内に接続するためのネットワークアーキテクチャである。ＰＯＮは、受動光コンポーネントを使用して、光供給ファイバが多くの構内をサービスできるようにする。ＰＯＮは、光回線終端装置（ＯＬＴ）設備が配置される１つまたは複数の中央局（ＣＯ）ノード、光ネットワーク終端装置（ＯＮＴ）または光ネットワークユニット（ＯＮＵ）と呼ばれる顧客構内の１つまたは複数の終端ノード、および、中央局ノードを終端ノードに接続する光ファイバ、パワースプリッタ（ＰＳ）、フィルタなどさらなるインフラストラクチャから構成される。このインフラストラクチャは光分配ネットワーク（ＯＤＮ）と呼ばれる。言い換えれば、ＯＤＮは、ＯＬＴからＯＮＵへの光伝送媒体を提供する。逆もまた同様である。
【０００３】
受動光ネットワークは、波長分割多重（ＷＤＭ）スキームにおける多数の波長を介して動作することができる。こうしたネットワークの一例は、ＴＷＤＭ−ＰＯＮスキームにおける４つの波長を介して動作する、標準ギガビット受動光ネットワーク（ＮＧＰＯＮ２）である。ＴＷＤＭ−ＰＯＮは、各波長が、時分割多重および多重アクセスメカニズムを使用することにより、多数の光ネットワーク間で共有される多数の波長のＰＯＮソリューションである。
【０００４】
光分配ネットワークのファイバインフラストラクチャの所有者がアクティブなネットワーク設備（光回線終端装置など）の運営者と異なる場合が、今日の受動光ネットワークの利用においてますます多く発生する。図１は、中央局において、ネットワークプロバイダが、１つのファイバに対して多重化された４つの異なる波長λ１−λ４で動作する４つの異なるＯＬＴからなるアクティブなネットワーク設備を運営する、ＰＯＮを実装するアーキテクチャの図を示す。光分配ネットワークは、ファイバインフラストラクチャのドメインを構成し、ネットワークプロバイダとは異なることがあるインフラストラクチャプロバイダによって管理される。
【０００５】
こうした設定の場合、たとえば調整の必要から、物理的なレベルでアクセスネットワークをアンバンドリングして配備することができる。この場合に通常考えられる物理的なアンバンドリングのタイプは、「サービスプロバイダごとの波長」である。これにより、同一の光ファイバ上ではあるが異なる波長で運営するネットワークプロバイダを、最良のレベルで分離することが可能となる。４つのネットワークプロバイダ（ＮＰ）との間の「サービスプロバイダごとの波長」スキームを有する物理的なアンバンドリングのこうしたシナリオが、図２に示されている。この図は、関連した波長を有するすべてのＮＰが、同一の中央局（ＣＯ）の位置に配置されるわけではない場合を示す。各ＮＰは、ＯＬＴ１、ＯＬＴ２、ＯＬＴ３およびＯＬＴ４として図２に示される自身のＯＬＴを有する。各ＯＬＴは異なる波長で動作する、すなわち、各ＯＬＴは異なる波長の信号を送受信する。
【０００６】
アンバンドリングされた光インフラストラクチャの場合、波長プレーンのそれぞれは、別々に動作し、必ずしも同一のＣＯ位置に配置する必要はない。各ＯＬＴおよびＯＮＵは、それらの間のトラフィックが、同一の光インフラストラクチャ上に伝送された他の運営者からのトラフィックと衝突しないように、ネットワーク運営者に指定されたアップストリーム（ＵＳ）波長、およびダウンストリーム（ＤＳ）波長で動作しなければならない。アップリンクまたはアップストリームという用語に関して、発明者らはＯＮＵからＯＬＴへ移動する信号のことを言う。ダウンリンクまたはダウンストリームという用語に関して、発明者らはＯＬＴからＯＮＵへ移動する信号のことを言う。さらに、ＯＮＵまたはＯＬＴが、自身のネットワークプロバイダ以外のネットワークプロバイダから生じた信号を受信できるようになると、セキュリティ問題が発生する可能性がある。
【０００７】
発明者らは受動光ネットワーク（ＰＯＮ）システムについて言及してきたので、これまでＯＬＴおよびＯＮＴについて参照してきた。アンバンドリングシナリオはまた、ＰＯＮと他の光システム、たとえばコモンパブリックラジオインタフェース（ＣＰＲＩ）光システムとの共存の場合に適用することができる。
【０００８】
すべてのＯＬＴが同一のＣＯ位置にあるわけではない場合、たとえばＯＬＴ４から生じたＤＳトラフィックが、誤った波長で送信すると、同一の分配ネットワーク上の任意の他のＮＰのＤＳトラフィックと衝突するリスクがある。
【０００９】
さらに、物理的なアンバンドリングは、顧客がＮＰおよび関連するサービスをより頻繁に変更し、さらには多数のＮＰから並行してトラフィックを受信する可能性があるので、システム（およびＯＤＮ）の動態性を増大させることができる。こうした場合、ＯＮＵは、それぞれのＮＰの割り当てられた波長を変更する必要、または、多数の波長の光信号を受信することができる必要があろう。このことは、任意のＯＮＵの任意の必要とされるＯＬＴへの接続（逆もまた同様である）を可能とする方法で、ＯＤＮの性能を高める必要があろう。
【００１０】
ＷＤＭ  ＰＯＮシステムにおいて、今日、すべてのＮＰは、同一のＣＯ位置からＯＤＮへ供給されるということが想定されている。図２に示したように、物理的にアンバンドリングされたソリューションにおいて、ＯＬＴ４を有するネットワークプロバイダは、ＯＬＴ１、ＯＬＴ２およびＯＬＴ３の位置とは異なる位置からのＯＤＮ（いくつかのネットワークプロバイダが物理的なアンバンドリングを通してＯＤＮを共有するとき）を使用することを望む場合もあろう。この場合は、どの既存のソリューションによってもいまだ取り扱われていない。
【発明の概要】
【発明が解決しようとする課題】
【００１１】
本発明の目的は、上記の不都合を除去し、光分配ネットワークの有利な保護を可能とする方法、光デバイス、および光通信システムを提供することである。
【課題を解決するための手段】
【００１２】
双方向光通信ネットワークにおける光通信のための方法が提案されている。このネットワークは、光分配ネットワークを介して複数の光ネットワークユニットと通信を行う、複数の光回線終端装置を備える。光分配ネットワークは、ネットワークコントローラによって制御される複数の光フィルタを備える。第１の光回線終端装置は、少なくとも１つの光ネットワークユニットとの光通信を求める要求をネットワークコントローラに送信する。この要求は、光分配ネットワークを介して送信され、第１の光回線終端装置および少なくとも１つの光ネットワークユニットの動作波長を示す。ネットワークコントローラは、前記光フィルタのうちの少なくとも２つを、前記動作波長またはさらなる動作波長を通過させるように構成する。最後に、前記動作波長または前記さらなる動作波長における、第１の光回線終端装置と少なくとも１つの光ネットワークユニット間の光通信が、前記光フィルタを通して確立される。
【００１３】
光通信システムにおける光通信を制御するための、ネットワークコントローラも提案されている。ネットワークコントローラは、光回線終端装置から、少なくとも１つの光ネットワークユニットとの光通信を求める要求を受信するように構成されたインタフェースを備えている。この光通信は光分配ネットワークを介する。この要求は、第１の光回線終端装置および少なくとも１つの光ネットワークユニットの動作波長を示す。ネットワークコントローラは、インタフェースによって受信された前記要求を処理し、複数の光フィルタを動作波長またはさらなる動作波長の光信号を通過させるように構成するように構成された、プロセッサをさらに備える。
【００１４】
最後に、光通信システムが提案されている。このシステムは複数の光回線終端装置を備えている。これらの終端装置は、光信号を送受信するように構成されている。このシステムは、光信号を送受信するように構成された複数の光ネットワークユニットをさらに備えている。光通信システムは、光分配ネットワークを介して前記光回線終端装置から前記光ネットワークユニットとの通信を求める要求を受信するように構成された、ネットワークコントローラをさらに備える。これらの要求は、前記光回線終端装置および少なくとも１つの光ネットワークユニットの動作波長を示す。最後に光通信システムは、動作波長またはさらなる動作波長の光信号を通過させるように前記ネットワークコントローラによって構成することができる、複数の光フィルタを備えている。
【００１５】
次に添付の図面と連携して以下の説明を行う。
【図面の簡単な説明】
【００１６】
【図１】従来技術の受動光ネットワークの図である。
【図２】従来技術のアンバンドリングされた受動光ネットワークの図である。
【図３】本発明による光通信システムの図である。
【図４】提案された方法の流れ図である。
【図５】本発明によるネットワークコントローラの図である。
【発明を実施するための形態】
【００１７】
光分配ネットワークを保護するための方法、光デバイスおよびシステムの実施形態が、本明細書に記載されている。
【００１８】
図３は、提案された発明による光通信システムのアーキテクチャの図を示す。分界点（ＤＰ）が、ＯＤＮ３１８のエントリポイントに配置される。分界点は、ＯＤＮコントローラ３０２によって遠隔で構成し、制御することができる。ＯＤＮコントローラ３０２はまた、ネットワークコントローラとも呼ぶことができる。各ＤＰは、ＵＳおよびＤＳのための双方向フィルタを含む。図３において、全部で３つのＯＬＴ（ＯＬＴ１、ＯＬＴ２、ＯＬＴ３）に対して、簡略化のために、１つのＤＰ３００のみを示している。このことは、ＤＰ３００中には実際は３つのＤＰが含まれており、１つで各波長ペア（ＵＳ／ＤＳ）に対していることを意味する。したがって各ＤＰは、ネットワークプロバイダごとのダウンストリームおよびアップストリーム用の１組のフィルタであると言うことができる。
【００１９】
各ＤＰは、ＯＤＮとの間のダウンストリームおよびアップストリームにおいて、ＯＬＴおよびＯＮＵに割り当てられた各波長のみを送信できるように動作される。ネットワークプロバイダ、動作波長および特定のＯＮＵと、特定のネットワークプロバイダとの関係は、各ネットワークプロバイダのＯＳＳのレベルで行われる。図３において、こうしたＯＳＳは、ＯＳＳ１、ＯＳＳ２、ＯＳＳ３およびＯＳＳ４として示されている。
【００２０】
分界点は上述のように、ＯＤＮコントローラ３０２によって遠隔で構成することができる。ＯＤＮコントローラは、通常、ＯＤＮを運営するインフラストラクチャプロバイダに属し、したがってまた、そのプロバイダによって操作することができる。それにもかかわらず、ＯＤＮコントローラは、インフラストラクチャプロバイダとは無関係の運営者または別のサードパーティに属することもできる。ＯＤＮコントローラは、たとえばＤＳおよびＵＳにおける波長管理に関して、すべてのＮＰから必要とされる情報を入手するために、ＯＤＮに接続されたすべてのＮＰのＯＳＳに接続している。
【００２１】
本発明は一般に、ＯＤＮコントローラが、ＤＳおよびＵＳ方向の利用可能な波長および占有された波長についての情報を保持し、その情報を、ＯＤＮを使用して顧客、すなわちＯＮＵと接続することを望むすべてのネットワークプロバイダのオペレーションサポートシステム（ＯＳＳ）と交換する、という事実に基づいている。占有されたＷＬと言うとき、発明者らは、異なるネットワークプロバイダからのＯＬＴと、顧客側のＯＮＵとの間で継続している通信によりすでに使用されているＷＬのことを言及している。
【００２２】
一実施形態において、ＯＤＮコントローラはＤＰを構成し、異なるネットワークプロバイダのＯＳＳに、必要とされる波長に対してそれぞれのＯＬＴを構成するように命令することができる。
【００２３】
別の実施形態において、ＮＰのＯＳＳは、選択した波長においてＯＤＮへのアクセス要求することができ、ＯＤＮコントローラはその要求を受け取り、選択された波長で光信号を通過させるようにＤＰを構成することができる。
【００２４】
ＮＰによって要求された波長が使用できない場合、ＯＤＮコントローラが、ＯＤＮにアクセスするというＯＬＴの要求を拒絶することが起こる可能性がある。この場合、ＯＤＮコントローラが、ＯＬＴと各ＯＮＵの間のＷＬ配置を再整理できるかどうか、他のＯＬＴのＯＳＳをチェックするという選択肢がありうる。その方法においては、ＷＬは、拒絶されたＯＤＮへのアクセス要求を満足させるように制約がなくなる可能性がある。
【００２５】
波長の割り当ては、外部のコントローラ（図３には図示せず）からも指示することができる。その場合、異なるＯＬＴ−ＯＮＵペアに波長を割り当てるのは、ＯＳＳでもＯＤＮコントローラでもないであろう。
【００２６】
ＤＰ３００、３０６、３１０、３１２は、ＯＬＴ４および関連するＯＮＵが、割り当てられたアクセスポイントを介してＯＤＮにアクセスし、割り当てられたＷＬのみの光信号を、ダウンストリームおよびアップストリーム方向にＯＤＮを通して送信することができるように構成される。
【００２７】
図４は、本発明による方法の流れ図を示す。この方法は、新しいＯＬＴが光通信システム、たとえば図３に示すシステムに導入されたとき、ステップ４００で開始する。新しいＯＬＴは、新しいネットワークプロバイダ、またはすでに通信システムの一部であるプロバイダに属することができる。この新しいＯＬＴは、ネットワークプロバイダの顧客に接続するために、共有ＯＤＮ、たとえば図３に示すＯＤＮを使用することを望むと仮定される。そうであれば、実際の接続は、顧客側の１つまたは複数のＯＮＵとなる。新しいＯＬＴに責任があるＯＳＳは、ステップ４０２でこの新しいＯＬＴの動作波長をチェックするであろう。このことは、ＯＳＳはどの波長（または複数の波長）で新しいＯＬＴが光信号を送受信できるかチェックすることを意味する。ステップ４０４において、ＯＬＴはＯＳＳを介して光分配ネットワークにアクセスすることを要求する。この要求はＯＤＮコントローラに送信され、ＯＬＴの動作波長を示す。要求で示された動作波長は、ＯＬＴがＯＤＮを通して１つまたは複数のＯＮＵと通信しようと意図したという意味で、ステップ４０２においてチェックされたものと異なっていてもよい。
【００２８】
ステップ４０６において、ＯＤＮコントローラは、ＯＬＴによってステップ４０４で示された波長が利用できるかどうかチェックする。示されたＷＬは、光分配ネットワークを通してＯＮＵと通信するために、別のＯＬＴによって使用されているかもしれない。その場合、ステップ４０６のチェックボックスにおいて、答えは「否定」であり、ループはステップ４０４に戻り、そこでＯＬＴは別の動作ＷＬを示さなければならないであろう。ステップ４０６のチェックボックスの答えが肯定の場合、要求された動作ＷＬは利用可能であり、ステップ４０８で、ＯＤＮコントローラは要求を行ったＯＬＴにこのＷＬを割り当てる。このことは、ＯＤＮコントローラ、およびＯＬＴに接続された各ＯＳＳが、このＯＬＴは通信するためにこの特定のＷＬを使用するということを登録するであろうことを意味する。この登録により、将来の接続要求に対する利用可能なＷＬの制御が可能となる。
【００２９】
ステップ４１０において、通信を求める要求を送信したＯＬＴを担当するＯＳＳは、ＯＤＮコントローラに、ＯＬＴが接続を望む先であるＯＮＵの位置を知らせる。ＯＤＮコントローラは、ＯＬＴと、接続が要求されたＯＮＵとの間の接続パスに存在する分界点に関する情報をすでに入手している可能性がある。あるいは、ＯＤＮコントローラは、この情報を通信システムの外部の別のエンティティから要求することができる。
【００３０】
ステップ４１２において、ＯＤＮコントローラは、動作波長中の光信号を通過させるように、ＯＬＴとＯＮＵの間にあるＤＰのフィルタを構成する。ステップ４０６の制御が、このＷＬは使用できず、その結果ステップ４１２で別のＷＬが表示されたことを示した場合、フィルタは、このＷＬの光信号を通過させるように構成される。フィルタは、光信号がダウンストリーム方向、およびアップストリーム方向の両方向が可能なように構成する必要がある。このため、発明者らは、１つはダウンストリーム方向用、もう１つはアップストリーム方向用の少なくとも２つのフィルタが、ＯＤＮコントローラによって構成される必要があると考えている。
【００３１】
各ＤＰのフィルタがいったん構成されると、ステップ４１４において、ＯＬＴとＯＮＵの間の通信が、分界点のフィルタを通過させるように指定された波長で確立される。
【００３２】
当業者は、図４のブロック図は、本発明の原理を具現化した例示の回路の概念的なビューを表したものであることを理解すべきである。同様に、流れ図は、コンピュータ可読媒体で実質的に搬送可能であり、コンピュータまたはプロセッサが明示的に示されているかどうかにかかわらず、こうしたコンピュータまたはプロセッサによって実行可能な、様々なプロセスを表していることを理解されたい。
【００３３】
図５は、本発明によるネットワークコントローラ５００を示す。このネットワークコントローラもＯＤＮコントローラと呼ぶことができ、これまで本文で述べたように、ＯＤＮコントローラの機能を実行することができる。ネットワークコントローラはインタフェース５０２を備え、それを通して、とりわけ、顧客のＯＮＵに接続するために、ＯＤＮを使用することを望むネットワークプロバイダのＯＬＴからの接続要求を受信することができる。こうした要求は、インタフェース５０２によって、ネットワークコントローラ５００のプロセッサ５０４に転送される。接続要求は、上述のように、接続要求を送信するＯＬＴの動作波長を示す。プロセッサ５０４は、インタフェースによって受信されたこうした要求を処理する。次いで、プロセッサは、動作波長の光信号を、フィルタを通過させるようにするために、いかに分界点のフィルタを構成する必要があるか決定する。この構成は、適切な信号を、インタフェース５０２を介して、プロセッサから分界点に送信することによって行うことができる。
【００３４】
「プロセッサ」と名付けられた任意の機能ブロックを含む、図５に示した様々な要素の機能は、専用のハードウェア、および適切なソフトウェアと共同してソフトウェアを実行することができるハードウェアの使用により提供することができる。プロセッサによって提供されるとき、機能は、単一の専用プロセッサ、単一の共有プロセッサ、または複数の個々のプロセッサによって提供されるが、これらの一部は共有されてもよい。さらに、「プロセッサ」または「コントローラ」という用語を明示的に使用しているが、ソフトウェアを実行できるハードウェアを排他的に指すと解釈すべきではなく、制限なく、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読み取り専用メモリ（ＲＯＭ）、ランダムアクセスメモリ（ＲＡＭ）、および、不揮発性記憶装置を暗黙的に含むことができる。従来型の、および／または、特定用途向けの他のハードウェアも含むことができる。同様に、各図面に示される任意のスイッチはもっぱら概念的なものである。スイッチ類の機能は、プログラム論理の実行により、専用の論理により、プログラム論理と専用の論理の相互作用により、または手動にさえよって実行することができ、特定の技術は、文脈からより詳細に理解できるように、開発者によって選択可能である。
【００３５】
本発明により明らかにされた技術を使用して、多数のネットワーク運営者によって共有された光分配ネットワークにおける多数の波長の使用を調整し、波長の誤った割り当てからインフラストラクチャを物理的に保護しそれにより運営の混乱を防ぐことができる。
【００３６】
本発明によって説明されたソリューションのアプリケーションは、多くの利点を有する。ＯＬＴは、ＮＰに割り当てられ関連付けられたＷＬの光信号を、ＯＤＮへ送信することができるだけである。このため、ＯＬＴは、他のダウンストリーム波長で動作するＯＬＴの動作を混乱させることはできない。さらに、ＯＮＵは、ＮＰに割り当てられ関連付けられたＷＬの光信号を、ＯＤＮから受信することができるだけである。ＯＮＵは、関連付けられたＯＬＴから情報を受信することができるだけであり、他のネットワークプロバイダのトラフィックの盗聴の可能性を削減させ、それにより、光ネットワークのセキュリティを向上させる。ＯＬＴは、ＮＰに割り当てられ関連付けられたＷＬの光信号を、ＯＤＮから受信することができるだけである。さらに、ＯＬＴは、関連付けられたＯＮＵから情報を受信することができるだけであり、したがって、他のネットワークプロバイダのトラフィックの盗聴の可能性を削減させ、それにより、セキュリティを向上させる。
【００３７】
一般に本発明を実装する際に、ＯＤＮは、各ＮＰまたはＯＮＵからの認可されたＷＬ以外のＯＤＮへのいかなるトラフィックの送信からも保護されている。これは、個々のＮＰのトラフィックを分離させ、クロストラフィック（たとえば、トラフィックの衝突）を防止するように、共通のＯＤＮにわたって物理的なアンバンドリングを配備するための必須の前提条件である。インフラストラクチャプロバイダおよびそのＯＤＮの保護は、この先物理的にアンバンドリングされるＰＯＮシステムが、同一の物理的インフラストラクチャ上の多数のＮＰにサービスするための要件である。
【００３８】
上記の説明および添付の図面は、本発明の原理を示したにすぎない。したがって、当業者であれば、本明細書には明示的に説明または示されていないものの、本発明の原理を具現化し、本発明の趣旨および範囲内に含まれる、様々な構成を工夫することができるであろうことを理解されたい。さらに、本明細書で列挙されたすべての例は、技術を促進するために、発明者（ら）によって提供された本発明の原理および概念を、読者が理解するのを援助する教育的な目的のみを主として特に意図しており、制限なくこうした特に列挙された例および条件に一致するものであると解釈すべきである。さらに、本発明の原理、態様および実施形態、ならびに、その特定の例を列挙している本発明のすべての記述は、それらと同等なものを包含するように意図されている。
【図１】
2018519757.tif 000003
【図２】
2018519757.tif 000004
【図３】
2018519757.tif 000005
【図４】
2018519757.tif 000006
【図５】
2018519757.tif 000007
【国際調査報告】
2018519757.tif 000008
2018519757.tif 000009
2018519757.tif 000010